(57)【特許請求の範囲】
【請求項１】
閉鎖空間である閉鎖型構造体の内部に複数の多段式棚が配置された多段式栽培装置であって、
前記閉鎖型構造体の内部側面壁上端部には、複数の空調装置が、該空調装置の冷気吐出口が対向するように配置されており、
複数の前記多段式棚は、複数の前記空調装置の対向方向に長手方向が沿うように、上下方向に延びる所定の空隙を有した状態で配置されており、
所定の前記空隙は、対向する前記空調装置から吐出される冷気が衝突する位置の直下に配置されることを特徴とする多段式栽培装置。
【請求項２】
前記多段式棚において、所定の前記空隙に面する位置には、前記多段式棚と前記空隙との間に介在する開閉板が備えられており、
該開閉板は、所定の前記空隙と前記多段式棚を構成する棚板間の空間の少なくとも一部との間に介在しており、
前記開閉板は、所定の前記空隙と前記棚板間の空間とを分画する位置と、所定の前記空隙と前記棚板間の空間とを空気通路として連通させる位置と、に変位可能であることを特徴とする請求項１に記載の多段式栽培装置。
【請求項３】
前記開閉板は、前記多段式棚の前記棚板間の空間方向へと回動可能に取付けられていることを特徴とする請求項２に記載の多段式栽培装置。
【請求項４】
前記開閉板において、少なくとも回動中心となる箇所には、形状記憶部材が配置されており、
該形状記憶部材は、所定温度未満であると、上下方向と平行となって、所定の前記空隙と前記棚板間の空間と、を区画する位置をとり、
所定温度以上であると変形して前記開閉板を回動させて、上下方向と所定の角度を成すように下端部分を跳ね上げ、所定の前記空隙と前記棚板間の空間とを連通させることを特徴とする請求項３に記載の多段式栽培装置。
【請求項５】
前記開閉板は、前記多段式棚を構成する前記棚板間のうち、少なくとも一個の前記棚板間に備えられていることを特徴とする請求項３又は請求項４に記載の多段式栽培装置。
【請求項６】
前記開閉板は、前記多段式棚を構成する前記棚板間のうち、複数の前記棚板間に備えられており、
下方の前記棚板間に配置される前記開閉板は、上方の前記棚板間に配置される前記開閉板に比して、所定温度以上の場合、上下方向となす角度が大きくなるように下端部分が跳ね上がることを特徴とする請求項４又は請求項４を引用する請求項５に記載の多段式栽培装置。
【請求項７】
前記空隙と前記開閉板との間において、前記開閉板が閉塞する通気孔と該通気孔の下方に前記開閉板により一部が被覆される反射板とが備えられており、前記反射板は前記開閉板により被覆されない部分に通気手段となる孔部が形成されることを特徴とする請求項３乃至請求項６いずれか一項に記載の多段式栽培装置。
【発明の詳細な説明】
【技術分野】
【０００１】
本発明は、閉鎖空間に設置される多段棚方式の多段式栽培装置に関し、特に、人工光源等及び空調装置が完備され、外部環境の影響を排除することができる多段式栽培装置に関する。
【背景技術】
【０００２】
従来より、各種植物を栽培する方法として、植物工場に代表される規模の大きい栽培方法が知られている。
このような栽培方法では、太陽光に替えて人工光源を使用し、空調装置および自動灌水装置により、植物の栽培に適した環境を創出している。つまり、これらの装置を使用することにより、栽培空間の光量、温度、湿度、風速、灌水量などを人為的に最適状態に調節することが可能となるため、高品質で均一な植物を安定的に育成することができる。
しかし、このような装置では、太陽光に替えて、人工光源等を使用するため、この発熱による影響を受け、植物にとって最適な環境を創出することが困難であるという問題が生じていた。
このような、問題を解消するための方法として、特許文献１のような技術が知られている。
【０００３】
特許文献１の技術においては、閉鎖型構造物の内部空間に、１基ないし複数基の箱型育苗装置が配置された多段式育苗装置が開示されており、この閉鎖型構造物内部の適所には空調装置が装備されている。
また、この箱型育苗装置には育苗空間と空気室とが備えらえており、育苗空間はその前方が開放されており、かつ、各育苗棚に載置した育苗容器の上側には植物に光を照射する人工照明装置が配置されている。そして、育苗空間と空気室との境界には多孔板が配置されており、空気室の背面側には複数基の空気ファンが設けられている。
そして、このような構成を実現することにより、人工照明装置によって育苗中の苗に十分な光を与えながら、この育苗空間において、均一にかつ効率的に除熱を行なうこと、及び、各育苗棚の空気の流れを均一にし、均一な調温・調湿を行うことを目的としている。
【先行技術文献】
【特許文献】
【０００４】
【特許文献１】特許第３７７１１５２号公報
【発明の概要】
【発明が解決しようとする課題】
【０００５】
しかしながら、特許文献１の技術によると、内部環境調整は、空調装置による温湿度管理や空調装置からの送風による気流調整であるため、多段式栽培棚を使用する場合には、棚の位置や高さによって、温湿度や気流のばらつきが生じ、結果として、植物の生産性が低下するという問題点があった。
つまり、棚の位置や高さの違いによる微妙な調整ができないため、気流ムラが生じ、植物の生産性に影響を与えることとなる。
このため、密閉型構造物である栽培室内部の気流を整流するとともに、栽培室である閉鎖型構造体内の温湿度を均一に調整することのできる技術が求められていた。
【０００６】
本発明の目的は、上記各問題点を解決することにあり、簡易な構成で、栽培室内部の気流を整流するとともに、栽培室である閉鎖型構造体内の温湿度を均一に調整することが可能な多段式栽培装置を提供することにある。
【課題を解決するための手段】
【０００７】
上記課題は、請求項１に係る多段式栽培装置によれば、閉鎖空間である閉鎖型構造体の内部に複数の多段式棚が配置された多段式栽培装置であって、前記閉鎖型構造体の内部側面壁上端部には、複数の空調装置が、該空調装置の冷気吐出口が対向するように配置されており、複数の前記多段式棚は、複数の前記空調装置の対向方向に長手方向が沿うように、上下方向に延びる所定の空隙を有した状態で配置されており、所定の前記空隙は、対向する前記空調装置から吐出される冷気が衝突する位置の直下に配置されることにより解決される。
【０００８】
このように本発明においては、閉鎖型構造体の内壁の上端にて対向するように配置された空調装置から吐出された空気（冷風）が、これらの対向方向中間地点にて衝突するが、この衝突位置の直下に、上下方向に延びる空隙を形成した。この空隙は、複数の多段式棚間の空隙（上下方向に延びる）として形成される。
よって、衝突した空気（冷風）は、上方には行き場がなく（直上には閉鎖型構造体の天井がある）、また、複数の空調装置の対向方向には衝突位置に向かって連続して吐出される空気（冷風）があるため、この複数の多段式棚間の空隙に流れ込む。
そして、この冷風は、多段式棚の各棚間及び下方に向かって流れ、再度、空調装置の空気吸引口に引き込まれる。
なお、「多段式棚の各棚間」は、当該箇所に栽培トレー等が配設される空間であり、所謂「栽培空間」となる場所である。
このように、一連の流れができるため、冷風を効率良く対流させるとともに、棚間等を通過して加温・加湿された空気（植物栽培のための照明装置や植物の生育熱等で加温された空気）を効率良く回収することが可能となる。
よって、閉鎖型構造体内部において、良好な気流を形成することが可能となり、植物の生育に良好な温度・湿度を、場所ムラなく維持することができる。
なお、多段式棚は何個使用されていてもよいが、空調装置の対向方向に沿うように並列されており、空隙は空調装置から吐出される空気（冷風）の衝突位置直下にのみ形成されていると好ましい。
つまり、何個並列されていてもよいが、空隙は空調装置から吐出される空気（冷風）の衝突位置直下にのみ形成されていることが好ましく、よって、他の並列箇所間には空隙を形成しないことが望ましい。
また、空気路長を同一とするため、空隙を境として、双方には同個数の多段式棚が配置されていることが望ましい。
【０００９】
このとき、具体的な構成としては、請求項２に記載のように、前記多段式棚において、所定の前記空隙に面する位置には、前記多段式棚と前記空隙との間に介在する開閉板が備えられており、該開閉板は、所定の前記空隙と前記多段式棚を構成する棚板間の空間の少なくとも一部との間に介在しており、前記開閉板は、所定の前記空隙と前記棚板間の空間とを分画する位置と、所定の前記空隙と前記棚板間の空間を空気通路として連通させる位置と、に変位可能であると好適である。
【００１０】
このように構成されていると、必要な場合に開閉板を開けて冷気を棚板間に多く通し、当該位置の温度・湿度を下げ、不要なときには開閉板を閉じて冷気を棚板間にあまり通さないという調整を行うことができる。
【００１１】
また、更に具体的には、請求項３に記載のように、前記開閉板は、前記多段式棚の前記棚板間の空間方向へと回動可能に取付けられていると好適である。
また更に具体的な構成としては、請求項４に記載のように、前記開閉板において、少なくとも回動中心となる箇所には、形状記憶部材が配置されており、該形状記憶部材は、所定温度未満であると、上下方向と平行となって、所定の前記空隙と前記棚板間の空間と、を区画する位置をとり、所定温度以上であると変形して前記開閉板を回動させて、上下方向と所定の角度を成すように下端部分を跳ね上げ、所定の前記空隙と前記棚板間の空間とを連通させるよう構成されていると好適である。
【００１２】
このように構成されていると、簡易な構成にて開閉板の開閉を行うことができる。
特に具体的には、形状記憶部材を使用することにより、温度に依存した開閉を実行することが可能となる。
よって、棚間の温度が所定温度よりも高くなった場合には、開閉板を開けて、通気孔より冷気を導入して当該箇所の温度を下げ、所定の温度を超えない場合には、開閉板を閉塞しておくことができる。
このように、効率的に空隙を効果してきた冷気を、必要箇所に効果的に導入することができる。
【００１３】
更に、請求項５に記載のように、前記開閉板は、前記多段式棚を構成する前記棚板間のうち、少なくとも一個の前記棚板間に備えられていると好適である。
このように構成されていると、例えば、冷気の衝突位置から遠い下方部分の棚間にのみ通気孔及び開閉板を設けることもできるし、もちろん、全ての棚間に設けてもよい。
つまり、各種条件等に応じて、必要な箇所に設けることが可能である。
【００１４】
また、請求項６に記載のように、前記開閉板は、前記多段式棚を構成する前記棚板間のうち、複数の前記棚板間に備えられており、下方の前記棚板間に配置される前記開閉板は、上方の前記棚板間に配置される前記開閉板に比して、所定温度以上の場合、上下方向となす角度が大きくなるように下端部分が跳ね上がると好適である。
つまり、空隙において、衝突位置から遠くなる下方にいくにつれ、冷気流量は小さくなるため、下方に配置される開閉板の開度を大きく設定することで、下方の棚間においても、上方の棚間と差異の無い冷却効率を実現することができる。
【００１５】
更に、請求項７に記載のように、前記空隙と前記開閉板との間において、前記開閉板が閉塞する通気孔と該通気孔の下方に前記開閉板により一部が被覆される反射板とが備えられており、前記反射板は前記開閉板により被覆されない部分に通気手段となる孔部が形成されると好適である。
このよう構成されていると、反射板により、照明装置の光を効率良く利用することができるとともに、開閉板が閉塞されている場合においても、一定量の冷気を導入することができる。
【発明の効果】
【００１６】
本発明に係る多段式栽培装置によれば、空調装置を、閉鎖型構造体の内壁の上端にて対向するように配置し、これらから吐出された空気（冷風）が、これらの対向方向中間地点にて衝突する構造とした。そして、この衝突位置の直下に、複数の多段式棚間に上下方向に延びる空隙を形成した。このため、衝突した空気（冷風）は、この複数の多段式棚間に上下方向に延びる空隙に流れ込む。
そして、この冷風は、多段式棚の各棚間及び下方に向かって流れ、再度、空調装置の空気吸引口に引き込まれるという一連の流れができる。よって、冷風を効率良く対流させて、棚間等を通過して加温・加湿された空気を効率良く回収することができる。
このように、閉鎖型構造体内部において、良好な気流を形成することが可能となり、植物の生育に良好な温度・湿度を、場所ムラなく維持することができる。
また、配風板に通気孔、開閉板、孔部が形成された反射板等を設け、この開閉板の開閉により通気孔と空隙（冷風）とを連通及び非連通とすることが可能としたため、各棚間の温度・湿度コントロールがより一層効率的になる。
以上のように、本発明によれば、簡易な構成で、栽培室内部の気流を整流するとともに、栽培室内の温湿度を均一に調整することができる。
【図面の簡単な説明】
【００１７】
【図１】本発明の一実施形態に係る多段式栽培装置の上面図及び前面図である。
【図２】本発明の一実施形態に係る多段式栽培装置における気流を示す説明図である。
【図３】図１（ａ）のＡ視を示す模式図である。
【図４】図１（ａ）のＢ視を示す模式図である。
【図５】図４のＣ視拡大図である。
【発明を実施するための形態】
【００１８】
以下、本発明の一実施形態を図面に基づいて説明する。
なお、以下に説明する構成は本発明を限定するものではなく、本発明の趣旨の範囲内で種々改変することができるものである。
本実施形態は、簡易な構成で、栽培室内部の気流を整流するとともに、栽培室内の温湿度を均一に調整することができる多段式栽培装置に関するものである。
【００１９】
図１乃至図５は、本発明に係る一実施形態を示すものであり、図１は多段式栽培装置の上面図及び前面図、図２は多段式栽培装置における気流を示す説明図、図３は図１（ａ）のＡ視を示す模式図、図４は図１（ａ）のＢ視を示す模式図、図５は図４のＣ視拡大図である。
なお、各図は、本発明の主要構成である気流の状態と、気流調整のための部材の動きを主として説明するためのものであり、その他の公知の周辺部材については省略等簡略化して図示してある。
なお、奥行（方向）とは、栽培ラック２１を構成する複数の側面枠体２１Ａ間に亘る方向である幅方向と直交する方向を指す。
【００２０】
図１に示すように、本実施形態に係る多段式栽培装置Ｓは、閉鎖型構造体１と、複数の多段式棚２と、空調装置３と、を有して構成されている。
本実施形態に係る閉鎖型構造体１は、断熱性壁面で囲繞された空間を形成する大型の筐体であり、その内部は太陽光を含む外部光から完全遮光されている。
これにより、閉鎖型構造体１内部は、外気、外湿、外光等の外部状況の影響を受けることのない空間となる。
また、閉鎖型構造体１の容積は、多段式棚２を２個並列して配置したものを２組設置できる（並列方向と垂直な方向に並列して２組設置できる）とともに、一人または複数の作業者が作業できる程度の作業空間を確保できる程度の大きさとされ、本実施形態においては、多段式棚２を合計４個配置して作業を行える大きさを有する例を示した。
なお、本実施形態においては、閉鎖型構造体１の外径として直方体形状のものを例示したが、これに限られることはなく、本発明の趣旨を逸脱しない範囲において、どのような形状を選択することもできる。多段式棚２の設置個数についても同様である。
【００２１】
本実施形態に係る多段式棚２は、栽培ラック２１と、照明装置２２と、栽培トレー２３と、配風板２４と、を有して構成されている。
本実施形態に係る栽培ラック２１は、略矩形状に組まれた側面枠体２１Ａ，２１Ａと、長手方向水平に渡された複数の前後面段差形成バー２１Ｂと、側面枠体２１Ａと同形状の中央枠体２１Ｃと、を有して構成された筐体状枠体である。
図１に示すように、側面枠体２１Ａは、上下方向に延びて奥行方向に並列する２個の側面上下方向バー２１ａと、これら２個の側面上下方向バー上端面を架橋する側面上方バー２１ｂと、この側面上方バー２１ｂの下方においてこれら側面上下方向バー２１ａ，２１ａを架橋する側面段差形成バー２１ｃと、を有して構成されている。
これら複数の側面段差形成バー２１ｃは、上下方向に等間隔にて５本配置されている。
なお、本例では、側面上下方向バー２１ａ，２１ａの下端は、最下方に配置される側面段差形成バー２１ｃよりも下方に各々突出しており、その２個の突出部を「側面脚部２１ｄ，２１ｄ」と記す。
【００２２】
また、中央枠体２１Ｃは、上記の通り、側面枠体２１Ａと同形状であり、側面上下方向バー２１ａに対応する部分を「中央上下方向バー２１ｅ」と記し、側面上方バー２１ｂに対応する部分を「中央上方バー２１ｆ」と記す。更に、側面段差形成バー２１ｃに対応する部分を「中央段差形成バー２１ｇ」と記し、側面脚部２１ｄに対応する部分を「中央脚部２１ｈ，２１ｈ」と記す。
【００２３】
中央枠体２１Ｃは、側面枠体２１Ａ，２１Ａ間（双方間の中央部）に配設される。
前後面段差形成バー２１Ｂは、本実施形態においては、１２本使用されており、中央枠体２１Ｃ及び側面枠体２１Ａ，２１Ａの奥行方向前後を架橋する。
つまり、各々の側面枠体２１Ａ，２１Ａにおいて、側面上下方向バー２１ａと側面上方バー２１ｂの交点（２個の交点）及び中央上下方向バー２１ｅと中央上方バー２１ｆの交点、の３交点を架橋するように１本の前後面段差形成バー２１Ｂが渡され、同様に、各交点を架橋するように、前後面段差形成バー２１Ｂが渡されていく。
これにより、天面を除き、栽培ラック２１には、５段の棚が設置可能となる。
また、４個の側面脚部２１ｄの下端と、２個の中央脚部２１ｈの下端と、が床面に接地され、これにより、栽培ラック２１が床面に対して設置される。
【００２４】
照明装置２２は、公知の照明装置が使用される。
例えば、蛍光灯等の人口光源が使用されており、図３乃至図５に示すように、光源Ｈ１が支持具Ｈ２に支持された状態で、適宜位置にて固定されており、下方に配設される栽培トレー２３を上方から照射可能となっている。本実施形態においては、一段の棚に４個の照明装置２２が配設された例を示した。
【００２５】
栽培トレー２３は、公知の栽培トレーが使用される。
この栽培トレー２３は、一段の棚が一つの単位となる単位育成空間の下方に、ほぼ水平に配置され、この栽培トレー２３を配置することによって、空間が上下方向に区画されて、栽培トレー２３を挟んで上下に、単位育成空間が各々形成される。
この栽培トレー２３の配置は公知の方法で行えばよく、例えば棚板を設置したり、栽培トレー２３に係止部を設けたり、金属板・金属網・金属棒等を支持位置に備えたりするとよい。
なお、栽培トレー２３には、自動灌水装置から水が供給される等、公知の装置が設置されているが、これらは公知の構成が使用されていればよく、本発明とは直接的な関係はないため説明を省略する。
【００２６】
次いで、図２乃至図５により、配風板２４について説明する。
本実施形態においては、配風板２４は、側面枠体２１Ａを外側から覆うように配置される。
この配風板２４は、一枚の配風基礎板２４Ａに対し、配風ユニット２４Ｂが複数単位上下方向に連続するように配置されることにより構成されている。
本実施形態においては、栽培ラック２１の棚数分、つまり、５個の配風ユニット２４Ｂが上下方向に連続するように配置され、各配風ユニット２４Ｂは、栽培ラック２１の棚一段分の側面を外側から被覆するように配置される。
配風基礎板２４Ａは、一枚の板体であり、側面枠体２１Ａと整合する外形状を有している。
【００２７】
配風ユニット２４Ｂは、開閉板支持部２４ａと、通気孔２４ｂと、反射板２４ｃと、開閉板２４ｄと、を有して構成されている。
開閉板支持部２４ａは、配風基礎板２４Ａにおいて、栽培ラック２１の棚一段分の最上部に整合する位置に配設される部材であり、後述する開閉板２４ｄを、当該開閉板支持部２４ａを中心として回動可能に支持するものである。これは、回動中心となって開閉板２４ｄを支持するものであればどのようなものでもいいが、例えば棒状部材が想定される。
通気孔２４ｂは、配風基礎板２４Ａにおいて、開閉板支持部２４ａの直下に形成される略矩形状の孔部である。
【００２８】
また、反射板２４ｃは、配風基礎板２４Ａにおいて、通気孔２４ｂの直下に形成される矩形状部分である。この反射板２４ｃとしては、照明装置２２からの光を反射して栽培ラック２１内に戻すことにより外部への光漏洩を防止するものであれば、どのような素材であってもよいが、通気性を確保するために、パンチングボードやメッシュボードが使用されていると好適である。
なお、開閉板２４ｄの下端に凸部１２４を設けるとともに、反射板２４ｃに凹部１２５を設け、開閉板２４ｄが閉塞した場合に、凸部１２４が凹部１２５に係止されるように構成してもよい。このように構成することにより、開閉板２４ｄ閉塞時に開閉板２４ｄが周囲の気流により振動することが防止され、振動音等の発生を回避することができる。
【００２９】
開閉板２４ｄは、略矩形の板体であり、奥行き距離は、側面枠体２１Ａ（及び配風基礎板２４Ａ）の奥行距離とほぼ同一となっている。
この開閉板２４ｄの上端部は、開閉板支持部２４ａに回動可能に取付られている。なお、この開閉板２４ｄは、その上端（開閉板支持部２４ａに取付けられる部分）を中心に下端部が栽培ラック２１内部方向に移動するように回動する。
そして、本実施形態においては、この開閉板２４ｄの下端部は、反射板２４ｃの上下方向中央部付近まで垂下するように構成されている（つまり、反射板２４ｃの上方略半分程度を覆うように構成されている）。
【００３０】
また、開閉板２４ｄの上端部分（開閉板支持部２４ａに取付けられる部分）付近は、変形部２４１にて形成されている。この変形部２４１は、形状記憶ゴム若しくは形状記憶合金で構成されており、所定の温度以上となると、鉛直方向に対して所定角度回動するよう構成されている。
つまり、所定の温度以上となると、変形部２４１が変形し（内側へと回動変形し）、最上段において、開閉板２４ｄと鉛直方向のなす角度θ＝θ１となるように、開閉板２４ｄの下端側が内側へと回動し、この角度θ１にて維持される（例えば、図４及び図５等参照）。
逆に、所定の温度未満となると、変形部２４１は、略鉛直方向に沿うようになり（角度θ≒０）、開閉板２４ｄもまた、鉛直方向に沿うように配置される。
【００３１】
換言すれば、変形部２４１の作用により、所定温度以上となった場合には、開閉板２４ｄは開放されて、通気孔２４ｂより、冷風を導入することができ、所定温度未満となった場合には、開閉板２４ｄは閉塞され、通気孔２４ｂより、冷風を導入することができなくなる。
なお、所定温度は、生育する植物の種類、部屋の状況等に応じて設定されるとよいが、例えば、１５℃〜２５℃程度（好ましくは２０℃程度）に設定されるとよい。
このように形成された配風ユニット２４Ｂが、本実施形態においては、棚板の位置に整合させて５個、一枚の配風基礎板２４Ａに対して上下方向に連続するように配置されて、配風板２４が構成されている。そして、この配風板２４は、側面枠体２１Ａを外側から覆うように配置される。
このように構成された多段式棚２，２は、配風板２４が覆設された面が、一定の空隙Ｋ１を介して対面するように並列して配置される。
つまり、多段式棚２，２間には、各々に配設された配風板２４，２４により形成される空隙Ｋ１が形成されており、多段式棚２，２は、この空隙Ｋ１を挟んで並列する。
【００３２】
次いで、本実施形態に係る気流について説明する。
図２に示すように、本実施形態においては、閉鎖型構造体１の内壁上方端部に、対向するように空調装置３，３を設置し、当該対向する空調装置３，３を２セット配置した。
そして、対向する空調装置３，３の風出力はほぼ同一かつ大容量となるように構成されている。
本実施形態においては、多段式棚２は、４個配置されている。
２個の多段式棚２，２は、空調装置３，３の対向方向に長手方向が沿うように並列しており、奥行き方向（空調装置３，３の対向方向と鉛直な方向）に、もう一組の多段式棚２，２が同様に配置されている。
なお、気流が潤滑に対流するように、閉鎖型構造体１の内壁面と、４個の多段式棚２との間には、所定の空隙が形成されている（つまり、内壁に密着させた状態で設置されてはいない）。
【００３３】
そして、空調装置３，３の対向方向に並列する多段式棚２，２の間に形成される空隙Ｋ１は、対向する空調装置３，３の中間地点の直下に上下方向に延びる空隙となるように構成されている。
つまり、対向する空調装置３，３から吐出された冷気が衝突する位置の直下に多段式棚２，２間の空隙Ｋ１が配置される。
なお、奥行き方向手前側及び奥側の空調装置３，３及び多段式棚２，２の配置及び機能については、同様であるため（２セットあるというのみであるため）、以下、手前側にて説明を行う。
【００３４】
まず、配風板２４が配置されていない状態での説明を行う。
本実施形態においては、好適な構成として配風板２４を配置した構成としたが、配風板２４を設置しない構成であっても、適正な気流を形成することが可能である。
このように配置されているため、空調装置３，３から吐出された冷気Ｐ１は、中央地点Ｏで衝突し、上方には天井があるため、多段式棚２，２の間に形成される空隙Ｋ１を下降する。
その際、空隙Ｋ１の両側には、多段式棚２，２が配置されているため、この多段式棚２，２の各棚に冷気Ｐ１が流れ込むが、この各棚には、照明装置２２及び栽培トレー２３が配置されているため、冷気Ｐ１は温められながら加温湿気Ｐ２となり、圧力の低い端側（空隙Ｋ１から離隔する側の端側）へと流れる。
そして、多段式棚２，２から排出された空気齢の高い暖気Ｐ３は、直上にある空調装置３，３の吸気口から吸気される。
このようにして、適正な気流を形成し、温度及び湿度ムラのない均一した環境管理が可能となる。
【００３５】
次いで、配風板２４が設置された状態を、より好適な例として説明する。
配風板２４，２４は、空隙Ｋ１を形成する側面枠２１Ａ，２１Ａを被覆するように、各々配置される。
当該配風板２４に配置される開閉板２４ｄは、上記の通り、所定温度以下の場合には閉塞しているため、空気の流れは、冷気Ｐ１から暖気Ｐ３への流れが主流となる。
ただし、本例においては、反射板２４ｃとして通気性を有するものを採用したため（パンチングボードやメッシュ素材）、空隙Ｋ１において、多少の冷気Ｐ１は棚間に流れ込む。
しかし、照明装置２２による加温や栽培トレー２３での植物の生育による加温等により、棚間の温度が上昇し、所定温度となると、開閉板２４ｄが内側に向けて開き、よって、通気孔２４ｂより冷気Ｐ１が導入される。
【００３６】
また、本実施形態においては、配風板２４は、配風ユニット２４Ｂが、棚板の位置に整合させて５個、一枚の配風基礎板２４Ａに対して上下方向に連続するように配置されるよう構成されているが、冷気Ｐ１は、上方から下方へと下降してくるため、下方にいくに従って、風量が落ちる（図３参照）。
このため、図４に示すように、上方の開閉板２４ｄに比して下方の開閉板２４ｄの方が、開度が大きくなるように構成されていると更に好適である。
つまり、上部から、開閉板２４ｄと鉛直方向のなす角度θをθ１〜θ５とすると、θ１＜θ２＜θ３＜θ４＜θ５となると好適である。
このように構成されていると、所定の温度に達した場合に、風量の小さい下方においては、開閉板２４ｄの高開度により、効率的に冷風Ｐ１を棚間に取り込め、よって、上下間に温度差が生じることを回避できる。
【００３７】
以上のように、本実施形態においては、閉鎖型構造体１における空調装置３，３の配置、及び多段式棚２，２の配置を適正化することにより、適正な気流を形成し、閉鎖型構造体１内に温度・湿度等のムラが生じることを有効に防止することができる。
また、更に、好適な適用として、配風板２４を使用することにより、冷却が必要な箇所には多くの冷気Ｐ１を導入し、不要な場所には、最低限の冷気Ｐ１のみを導入するようにした。
よって、閉鎖型構造体１内の気流を更に適正なものとし、閉鎖型構造体１内環境を適正にコントロールすることができる。
【符号の説明】
【００３８】
Ｓ  多段式栽培装置
１  閉鎖型構造体
２  多段式棚
２１  栽培ラック
２１Ａ  側面枠体
２１ａ  側面上下方向バー
２１ｂ  側面上方バー
２１ｃ  側面段差形成バー
２１ｄ  側面脚部
２１Ｂ  前後面段差形成バー
２１Ｃ  中央枠体
２１ｅ  中央上下方向バー
２１ｆ  中央上方バー
２１ｇ  中央段差形成バー
２１ｈ  中央脚部
２２  照明装置
Ｈ１  光源
Ｈ２  支持具
２３  栽培トレー
２４  配風板
２４Ａ  配風基礎板
２４Ｂ  配風ユニット
２４ａ  開閉板支持部
２４ｂ  通気孔
２４ｃ  反射板
１２５  凹部
２４ｄ  開閉板
１２４  凸部
２４１  変形部
３  空調装置
Ｋ１  空隙
Ｐ１  冷気
Ｐ２  加温湿気
Ｐ３  暖気
【図１】
0006526975.tif 000002
【図２】
0006526975.tif 000003
【図３】
0006526975.tif 000004
【図４】
0006526975.tif 000005
【図５】
0006526975.tif 000006